【事件の表示】
　特願２０００−　１６４２１「仮設ベント工法」拒絶査定不服審判事件〔平成１３年　８月　３日出願公開、特開２００１−２０７６４５〕について、次のとおり審決する。
【結　論】
　本件審判の請求は、成り立たない。
【理　由】
１．手続の経緯
　本願は、平成１２年１月２６日に出願したものであって、平成１５年３月２８日付けで拒絶査定がなされ、これに対し、同年４月２５日付けで拒絶査定に対する審判請求がなされるとともに、同年５月２３日付けで手続補正がなされたものである。
　
２．平成１５年５月２３日付けの手続補正についての補正却下の決定
［補正却下の決定の結論］
　平成１５年５月２３日付けの手続補正（以下、「本件補正」という。）を却下する。
［理由］
（１）補正後の本願発明
　本件補正により、特許請求の範囲の請求項１は、
「ドームやスタジアムの鉄骨屋根などの鉄骨構造物を地組立した後、その上架設前に、仮設ベント設備を前記構造物の下面に回動自在に取り付け、この仮設ベント設備を一体に取り付けた構造物を、仮設ベント設備の配置位置に予め配設され、ジャッキ装置を内蔵するとともに小型基礎コンクリートや、柱、梁などの下部の躯体部分に設置可能な脚部固定設備に、仮設ベント設備の脚部を固定して、構造物を所定位置に上架することを特徴とする仮設ベント工法。」
と補正された。
　上記補正は、補正前の請求項１に記載した発明を特定するために必要な事項である「構造物」について、「ドームやスタジアムの鉄骨屋根などの鉄骨構造物」と限定し、同じく「躯体部分」について、「柱、梁などの下部の躯体部分」と限定したものであって、特許法第１７条の２第４項第２号の特許請求の範囲の減縮を目的とするものに該当する。
　そこで、本件補正後の請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
（２）引用刊行物
　原査定の拒絶の理由に引用された特開平９−２４２１９１号公報（以下、「刊行物」という。）には、以下の記載がある。
「【０００８】実施例２
大張間架構となる屋根架構の周辺部の外側に本設の柱７ａを設置し、その上部に仮設柱７ｂを立設してセンターホールジャッキ、吊り棒２等からなるジャッキアップ装置３が設置してある。かつ、本設の柱７ａ、７ａ間の適宜基礎を設けた地表面Ｇ上でトラス構造の屋根架構４を組立てる。この場合の屋根構造は前記実施例１に記載したものと同様であり、また、組立てに用いられる仮設受台も同様である。
【０００９】次いで前記ジャッキアップ装置３により屋根架構４を所要の高さまでリフトアップし、（図５参照）
次いで柱９を吊り上げ、下部にジャッキをセットすることによりジャッキ用仮設柱１０とし、このジャッキ用仮設柱１０を伸縮調整することで、屋根架構４の両側間を設計寸法となるように調整して支持する。（図６、図７参照）
次いで屋根架構の周辺部と本設の柱７ａ、７ａ間を繋ぎ部材４ａをもって接合する。（図７参照）
最後にジャッキ用仮設柱１０および本設の柱７ａ上部に立設した仮設柱７ｂを必要により撤去する。」
「【００１０】なお、上記実施例１および２に記載したジャッキ用仮設柱１０の設置方法は、・・・
また、屋根架構４の下面に柱９の上端を枢着し、屋根架構４のリフトアップに伴って、柱９を建起す。次いで柱９の下端にジャッキをセットしてジャッキ用仮設柱１０を形成する。（図１０、図１１参照）これら、どの方法を使うこともできることは云うまでもない。」
　上記記載及び図面を含む刊行物全体の記載、そして、大張間架構となるトラス構造の屋根架構は通常鉄骨構造を採用することが技術常識であるから、刊行物には、図１０、１１に示したジャッキ用仮設柱の設置方法を採用した実施例２として、以下の発明が開示されていると認められる。
「鉄骨屋根架構４を地表面Ｇ上で組立後、本設の柱７ａに架設する前に、柱９を前記鉄骨屋根架構４の下面に枢着し、この柱９を一体に取り付けた鉄骨屋根架構４を吊り上げ、基礎が設けられた地表面Ｇにジャッキを、柱９の下端にセットして、鉄骨屋根架構４を本設の柱７ａに架設する仮設柱を用いた工法。」
　
（３）対比
　本願補正発明と刊行物記載の発明とを比較すると、刊行物記載の発明の「鉄骨屋根架構４」、「地表面Ｇ上で組立後」、「本設の柱７ａに架設する」、「柱９」、「枢着し」、及び、「仮設柱を用いた工法」は、それぞれ本願補正発明の「鉄骨屋根などの鉄骨構造物」、「地組立した後」、「上架設」、「仮設ベント設備」、「回動自在に取り付け」、及び、「仮設ベント工法」に相当し、刊行物記載の発明の「ジャッキ」と本願補正発明の「脚部固定設備」は、「ジャッキ機能を有する部材」で共通し、その配置位置が、架設ベント設備とその支持体間であることで共通するから、両者は、
「鉄骨屋根などの鉄骨構造物を地組立した後、その上架設前に、仮設ベント設備を前記構造物の下面に回動自在に取り付け、この仮設ベント設備を一体に取り付けた構造物を、ジャッキ機能を有する部材を、仮設ベント設備とその支持体間に配置して、構造物を所定位置に上架する仮設ベント工法。」
の点で一致し、以下の点で相違している。
［相違点１］鉄骨屋根などの鉄骨構造物に関し、本願補正発明は、ドームやスタジアムの鉄骨屋根などの鉄骨構造物であるのに対し、刊行物記載の発明は、そのような限定が付されていない点。
［相違点２］本願補正発明は、ジャッキ機能を有する部材が、仮設ベント設備の配置位置に予め配設され、ジャッキ装置を内蔵するとともに小型基礎コンクリートや、柱、梁などの下部の躯体部分に設置可能な脚部固定設備であって、該設備に、仮設ベント設備の脚部を固定するのに対し、刊行物記載の発明は、そのような構成であることが明記されていない点。
　
（４）判断
　上記相違点１について検討すると、大張間架構の屋根としてドームやスタジアムの鉄骨屋根は例示するまでもなく周知技術であり、刊行物記載の発明に該周知技術を適用し、本願補正発明の上記相違点１に係る構成とすることは、当業者が容易に想到し得るものである。
　上記相違点２について検討すると、刊行物記載の発明において、ジャッキを柱の配置位置に配設することは当然のことであり、予め配設することは、当業者が適宜採用し得る程度のことである。また、刊行物記載の発明のジャッキは、仮設ベント設備である柱を支持体である地表面Ｇに支持するものであり、その支持は安定したものであることが望まれるのは明らかであるから、ジャッキ装置を内蔵する脚部固定設備とし、仮設ベント設備である柱の脚部を固定することは当業者が必要に応じ容易になし得る程度のことである。さらに、当該脚部固定設備を小型基礎コンクリート等に設置することも当業者が適宜なし得る程度のことである。よって、本願補正発明の上記相違点２に係る構成とすることは、当業者が容易に想到し得るものである。
　
　そして、本願補正発明の作用効果も、刊行物記載の発明及び周知技術から当業者が予測できる範囲のものである。
　
　したがって、本願補正発明は、その出願前に頒布された刊行物記載の発明及び周知技術に基づいて、当業者が容易に発明をすることができたものであるから、特許法第２９条第２項の規定により特許出願の際独立して特許を受けることができないものである。
　
（５）むすび
　以上のとおり、本件補正は、特許法第１７条の２第５項において準用する同法第１２６条第５項の規定に違反するものであり、特許法第１５９条第１項において読み替えて準用する特許法第５３条第１項の規定により却下されるべきものである。
　
３．本願発明について
　平成１５年５月２３日付けの手続補正は上記のとおり却下されたので、本願の請求項１に係る発明は、平成１４年９月１２日付け手続補正書の特許請求の範囲の請求項１に記載された事項により特定されるものであり、その請求項１に係る発明（以下、「本願発明」という。）は、以下のとおりである。
　
「構造物を地組立した後、その上架設前に、仮設ベント設備を前記構造物の下面に回動自在に取り付け、この仮設ベント設備を一体に取り付けた構造物を、仮設ベント設備の配置位置に予め配設され、ジャッキ装置を内蔵するとともに小型基礎コンクリートや躯体部分に設置可能な脚部固定設備に、仮設ベント設備の脚部を固定して、構造物を所定位置に上架することを特徴とする仮設ベント工法。」
　
（１）引用例
　原査定の拒絶の理由に引用された刊行物及びその記載事項は、前記「２．（２）」に記載したとおりである。
　
（２）対比・判断
　本願発明は、前記２．で検討した本願補正発明から「構造物」の限定事
項である「ドームやスタジアムの鉄骨屋根などの鉄骨」との構成を省き、同じく「躯体部分」の限定事項である「柱、梁などの下部の」との構成を省いたものである。
　そうすると、実質的に本願発明の構成要件を全て含み、さらに他の構成要件を付加したものに相当する本願補正発明が、前記「２．（４）」に記載したとおり、刊行物記載の発明及び周知技術に基づいて、当業者が容易に発明をすることができたものであるから、本願発明も、同様の理由により、刊行物記載の発明及び周知技術に基づいて、当業者が容易に発明をすることができたものである。
　
（３）むすび
　以上のとおり、本願発明は、刊行物記載の発明及び周知技術に基づいて、当業者が容易に発明をすることができたものであり、特許法第２９条第２項の規定により特許を受けることができないから、本願は、拒絶されるべきものである。
　よって、結論のとおり審決する。